(57)【特許請求の範囲】
【請求項１】
表示画面を担う前面ガラス基板と、前記前面ガラス基板の内面に互いに並行に配列された複数の行電極対と、背面ガラス基板と、前記背面ガラス基板の内面に前記行電極対の各々に交叉した方向に伸長して配列された複数の列電極と、前記前面ガラス基板及び前記背面ガラス基板の間に形成されており放電ガスが封入された放電空間と、前記放電空間において前記行電極対と前記列電極との交叉部毎に形成された放電セルと、を有するプラズマディスプレイパネルであって、
前記行電極対を構成する行電極の各々は、放電を司る透明電極と、前記透明電極に電圧を供給するバス電極とからなり、
前記表示画面は複数の領域に区切られており、前記複数の領域内に存在する放電セルは複数の放電セル群に区分されて、前記放電セル群の各々に含まれる放電セルの透明電極の平均面積が前記表示画面の中央領域から周辺領域に向かって徐々に小さくなっており、かつ互いに隣接する領域の放電セル群内に同一面積の透明電極を有する放電セルが存在することを特徴とするプラズマディスプレイパネル。
【請求項２】
前記透明電極は、前記放電セル毎に独立して形成されている光透過性を有する島状電極であることを特徴とする請求項１記載のプラズマディスプレイパネル。
【請求項３】
前記島状電極とは、Ｔ字型形状であることを特徴とする請求項２記載のプラズマディスプレイパネル。
【発明の詳細な説明】
【０００１】
【発明の属する技術分野】
本発明は、ガス放電を利用した自発光型の平板ディスプレイとしてのカラー表示プラズマディスプレイパネル（以下ＰＤＰと称する）に関する。
【０００２】
【背景技術】
近年、表示装置の大型化に伴い、薄型の表示装置が要求され、各種の薄型表示装置が実用化されている。ＡＣ（交流放電）型のＰＤＰは、かかる薄型表示装置の１つとして着目されている。
ＡＣ型のＰＤＰは、２枚の対向するガラス基板の一方に、画面の”行”に対応した一対の行電極が複数組設けられており、他方のガラス基板には”列”に対応した複数の列電極が設けられている。更に、両ガラス基板の間には、ネオン及びキセノン等を主体とする混合希ガスを封入した構造となっている。尚、上記行電極及び列電極の各交叉部に、１画素に対応した放電セルが構築される。
【０００３】
ここで、ＰＤＰで発光表示を実施させるには、上記一対の行極間に電圧を印加し、その交叉部に形成されている各放電セルの内で入力映像信号に対応したものだけを放電発光せしめることにより、かかる入力映像信号に対応した表示画像を得るのである。この際、上記電圧印加に応じて両電極間には電流が流れ、その電極が保有する抵抗によって電力が消費される。
【０００４】
【発明が解決しようとする課題】
本発明は、消費電力を低減させることが出来るプラズマディスプレイパネルを提供することを目的とする。
【０００５】
【課題を解決するための手段】
本発明の第１の特徴によるプラズマディスプレイは、表示画面を担う前面ガラス基板と、前記前面ガラス基板の内面に互いに並行に配列された複数の行電極対と、背面ガラス基板と、前記背面ガラス基板の内面に前記行電極対の各々に交叉した方向に伸長して配列された複数の列電極と、前記前面ガラス基板及び前記背面ガラス基板の間に形成されており放電ガスが封入された放電空間と、前記放電空間において前記行電極対と前記列電極との交叉部毎に形成された放電セルと、を有するプラズマディスプレイパネルであって、前記行電極対を構成する行電極の各々は、放電を司る透明電極と、前記透明電極に電圧を供給するバス電極とからなり、前記表示画面は複数の領域に区切られており、前記複数の領域内に存在する放電セルは複数の放電セル群に区分されて、前記放電セル群の各々に含まれる放電セルの透明電極の平均面積が前記表示画面の中央領域から周辺領域に向かって徐々に小さくなっており、かつ互いに隣接する領域の放電セル群内に同一面積の透明電極を有する放電セルが存在する。
【０００７】
【実施の形態】
図１は、ＡＣ型ＰＤＰの概略構成を示す図である。
図１において、画像表示面となる前面ガラス基板１１０の内面（後述する背面ガラス基板１１３と対向する面）には、夫々ｎ個の行電極Ｘ１〜Ｘｎ及び行電極Ｙ１〜Ｙｎが交互に、かつ平行に配列されている。この際、一対の行電極Ｘ及びＹにて、ＰＤＰの画面の１行分を担う構造となっている。
【０００８】
これら行電極Ｘ１〜Ｘｎ及び行電極Ｙ１〜Ｙｎは、酸化マグネシウム等からなる保護層１１２が蒸着されている誘電体層１１１にて被覆されている。かかる誘電体層１１１と背面ガラス基板１１３との間には、ネオン及びキセノン等を主体とする混合希ガスが放電ガスとして封入されている放電空間１１４が形成されている。背面ガラス基板１１３の内面（前面ガラス基板１１０と対向する面）には、上記行電極Ｘ１〜Ｘｎ及び行電極Ｙ１〜Ｙｎと交叉する方向に伸長して列電極Ｄ１〜Ｄｍが形成されている。列電極Ｄ１〜Ｄｍの各々は、図１に示されるが如き障壁１１５によって隔てられている。更に、各列電極Ｄ及び障壁１１５の壁面を覆うようにして、青色発光、緑色発光、又は赤色発光を担う蛍光体層１１６が形成されている。
【０００９】
ここで、上記列電極Ｄと行電極Ｘ及びＹとの各交叉部に１画素に対応した放電セルが形成される構造となっている。
つまり、青色発光を担う蛍光体層１１６が形成されている列電極Ｄと行電極Ｘ及びＹとの交叉部には青色放電セルが形成され、緑色発光を担う蛍光体層１１６が形成されている列電極Ｄと行電極Ｘ及びＹとの交叉部には緑色放電セルが形成される。更に、赤色発光を担う蛍光体層１１６が形成されている列電極Ｄと行電極Ｘ及びＹとの交叉部には赤色放電セルが形成されるのである。
【００１０】
図２は、上記図１に示されるＰＤＰ中において、互いに隣接して形成されている青色放電セル、緑色放電セル、及び赤色放電セルなる３つの放電セルのみを抜粋して示す図である。尚、図２は、図１に示されるＰＤＰにおける前面ガラス基板１１０の表示面側からみた図である。
図２に示されるように、青色放電セルＣＢ、緑色放電セルＣＧ、及び赤色放電セルＣＲの各々には、透明なＴ字状の透明電極ＸＴＲが夫々形成されている。これら透明電極ＸＴＲの各々が１本のバス電極ＸＢＵＳに接続されており、かかるバス電極ＸＢＵＳとそれに接続された複数の透明電極ＸＴＲにて、１行分に対応した行電極Ｘを形成している。又、青色放電セルＣＢ、緑色放電セルＣＧ、及び赤色放電セルＣＲの各々には、透明なＴ字状の透明電極ＹＴＲが夫々形成されている。これら透明電極ＹＴＲの各々が１本のバス電極ＹＢＵＳに接続されており、かかるバス電極ＹＢＵＳとそれに接続された複数の透明電極ＹＴＲにて、１行分に対応した行電極Ｙを形成している。これら一対の透明電極ＹＴＲ及びＸＴＲ各々は、障壁１１５に沿って伸長している狭幅部ａと、広幅部ｂとからなる。透明電極ＹＴＲ及びＸＴＲ各々の狭幅部ａは、その一端が夫々のバス電極（ＹＢＵＳ、ＸＢＵＳ）に電気的に接続されている。又、透明電極ＹＴＲ及びＸＴＲ各々の広幅部ｂは、互いに所定距離Ｇだけ離間した位置に形成されており、これが放電ギャップとなる。すなわち、上記バス電極ＸＢＵＳ及びＹＢＵＳ間に電圧が印加されると、その電圧は透明電極ＸＴＲ及びＹＴＲに供給されて上記放電ギャップにおいて放電が生起される。
【００１１】
図２に示されるが如き電極形態を有する行電極Ｘ及びＹを備えた青色放電セルＣＢ、緑色放電セルＣＧ、及び赤色放電セルＣＲが、ＰＤＰ内においてマトリクス状に配列されている。
この際、本発明によるＰＤＰにおいては、各放電セル内に形成されている上記透明電極ＹＴＲ及びＸＴＲの面積が、表示画面の中央部から周辺部に向けて徐々に小さくなっている。
【００１２】
つまり、透明電極ＹＴＲ及びＸＴＲ各々の面積を、図３に示されるが如きＰＤＰの表示画面の中央の領域Ｅ１内に存在するものから、領域Ｅ２、領域３、・・・、領域ＥＰに存在するものへと徐々に小さくしたのである。この際、透明電極ＹＴＲ及びＸＴＲの面積を小さくする方法としては、例えば図２に示される狭幅部ａでの電極幅Ｗ１、広幅部ｂでの電極幅Ｗ２及び放電ギャップＧを夫々固定幅とし、狭幅部ａでの電極長Ｌ１を長くしつつ広幅部ｂでの電極長Ｌ２を短くする。
【００１３】
以上の如く、画面周辺の領域に存在する放電セルほどその放電セル内に形成する透明電極ＹＴＲ及びＸＴＲの面積を小さくして行くと、この抵抗体としての透明電極の面積が減る分だけ消費電力も減ることになる。尚、透明電極ＹＴＲ及びＸＴＲの面積が減る分だけ画面周辺部での輝度が画面中央部に比して低下することになるが、視覚上において画面周辺部の表示画像は重要ではない。
【００１４】
従って、本発明によれば、さほど画質劣化を引き起こすことなく消費電力の低減が図れるのである。
ところで、透明電極ＹＴＲ及びＸＴＲ形成時のプロセス精度のバラツキ等の影響により、上述した如き透明電極の面積変化に応じた輝度変化率が表示階調よりも大きくなってしまうと、輝度ムラが発生する可能性がでてくる。
【００１５】
そこで、図３に示されるが如き領域Ｅ１〜領域ＥＰ各々内での透明電極ＹＴＲ及びＸＴＲの平均面積を、画面中央部の領域Ｅ１〜画面周辺の領域ＥＰへと徐々に小さくする。
例えば、図４に示されるように、領域Ｅ１〜領域Ｅ３各々に夫々第１〜第４放電セルなる４つの放電セルが存在する場合に、領域Ｅ１に存在する第１放電セルの透明電極の面積を”１０”、第２放電セルの透明電極の面積を”１０”、第３放電セル内の透明電極の面積を”９”、第４放電セルの透明電極の面積を”１１”とする。結果として、領域Ｅ１での透明電極の平均面積は”１０”となる。又、領域Ｅ２に存在する第１放電セルの透明電極の面積を”９”、第２放電セルの透明電極の面積を”８”、第３放電セル内の透明電極の面積を”９”、第４放電セルの透明電極の面積を”１０”とする。結果として、領域Ｅ２での透明電極の平均面積は”９”となる。又、領域Ｅ３に存在する第１放電セルの透明電極の面積を”９”、第２放電セルの透明電極の面積を”７”、第３放電セル内の透明電極の面積を”８”、第４放電セルの透明電極の面積を”８”とする。結果として、領域Ｅ３での透明電極の平均面積は”８”となる。
【００１６】
このように、図４に示される実施例においては、画面中央の領域Ｅ１〜領域Ｅ３へと向けて、その領域内に存在する透明電極の平均面積を”１０”、”９”、”８”へと減らして行くのである。この際、図４に示されるように、透明電極の平均面積が”１０”となる領域Ｅ１内には、隣接する領域Ｅ２での透明電極の平均面積である”９”とその面積が等しい透明電極を有する第３放電セルが存在する。すなわち、互いに隣接する領域の各々内には、同一面積を有する透明電極が含まれているのである。
【００１７】
よって、かかる構成によれば、透明電極形成時のプロセス精度のバラツキ等があっても、上述した如き透明電極の面積変化に応じた輝度変化率が表示階調よりも小さくなるので、前述した如き輝度ムラを防止することが出来る。
尚、図２に示される実施例においては、各放電セル内に、個別にＴ字状の透明電極ＹＴＲ及びＸＴＲを形成するようにしているが、これら各放電セル毎に形成されている透明電極ＹＴＲ及びＸＴＲ各々の広幅部ｂを隣接するもの同士で連結した図５に示されるが如き構造を採用しても良い。
【００１８】
又、図２に示されるが如きＴ字状の透明電極ＹＴＲ及びＸＴＲに代わり、図６に示されるが如き矩形の透明電極ＹＴＲ及びＸＴＲを採用しても良い。要するに、各放電セル毎に独立した島状の透明電極が形成されていれば良いのである。
更に、図７に示されるが如く、各放電セル内に形成されている透明電極ＹＴＲ及びＸＴＲを囲むように井桁状に障壁１１５を構築するようにしても良い。
【００１９】
【発明の効果】
以上詳述した如く、本発明によるプラズマディスプレイパネルにおいては、放電を司る透明電極の面積が表示画面の中央部から周辺部に向かって徐々に小さくなっているので、視覚上における画質劣化を生じさせることなく消費電力の低減が図れるのである。
【図面の簡単な説明】
【図１】ＡＣ型ＰＤＰの概略構成を示す図である。
【図２】図１に示されるＰＤＰから、互いに隣接して形成されている青色放電セル、緑色放電セル、及び赤色放電セル各々の構造を抜粋して示す図である。
【図３】ＰＤＰの表示画面中における領域と、各領域内に存在する放電セルにおける透明電極の面積との対応を説明する為の図である。
【図４】図３に示されるＰＤＰの領域Ｅ１〜領域Ｅ３各々に存在する４つの放電セル各々における透明電極の面積と、各領域毎の透明電極の平均面積の一例を示す図である。
【図５】青色放電セル、緑色放電セル及び赤色放電セル各々の他の構造を示す図である。
【図６】青色放電セル、緑色放電セル及び赤色放電セル各々の他の構造を示す図である。
【図７】青色放電セル、緑色放電セル及び赤色放電セル各々の他の構造を示す図である。
【主要部分の符号の説明】
ＸＴＲ、ＹＴＲ  透明電極
ＸＢＵＳ、ＹＢＵＳ  バス電極
【図１】
0003625157.tif 000002
【図２】
0003625157.tif 000003
【図３】
0003625157.tif 000004
【図４】
0003625157.tif 000005
【図５】
0003625157.tif 000006
【図６】
0003625157.tif 000007
【図７】
0003625157.tif 000008